(57)【要約】【課題】情報の発生した位置から遠隔地にいる情報端末において、当該発生した位置で収集された情報の判断または解釈に著しい負荷および時間を要することのない情報検索システム等を提供する。【解決手段】  情報端末装置２０の情報収集部３０が情報取得器２２により取得された発生情報ＩＮＦＯにメタ情報発行装置５２から送信されたメタ情報ＭＥＴＡを付して記録部２４に記録する。情報検索部３５は情報端末装置２０−１から検索用のメタ情報ＭＥＴＡを用いて行なわれた情報要求に対し、記録部２４に記録された情報中から検索用のメタ情報ＭＥＴＡと一致するメタ情報が付された情報ＩＮＦＯを検索する。検索された情報ＩＮＦＯ等は情報要求を行なった他の情報端末装置２０−１側へ送信する。情報端末装置２０−２から別の情報端末装置２０−１により中継して情報の発生源５０に近い情報端末装置２０へ情報要求を行ない、それに対する返答を得ることもできる。【選択図】  図１
2005115567.tif 000002
【特許請求の範囲】
【請求項１】
発生した情報を処理する情報端末装置と、発生した情報の範疇を示すメタ情報を該情報端末装置側へ送るメタ情報発行装置とを備えた情報検索システムであって、
前記情報端末装置は、発生した情報の収集を行う情報収集部と情報要求に対して検索を行う情報検索部とを有し、
前記情報収集部は、
発生した情報を取得する情報取得器と、
前記情報取得器により取得された情報について前記メタ情報発行装置から送られたメタ情報を入力するメタ情報入力手段と、
前記情報取得器により取得した情報に、前記メタ情報入力手段により入力したメタ情報を付して記録部に記録する情報記録手段とを備え、
前記情報検索部は、
検索用のメタ情報を用いて行なわれた情報要求に対し、前記記録部に記録された情報中から該検索用のメタ情報と一致するメタ情報が付された情報を検索する検索手段と、
前記検索手段により情報が検索された場合、該検索された情報または前記検索用のメタ情報が付された該検索された情報を含む検索結果情報を情報要求を行なった側へ送る情報応答手段と
を備えたことを特徴とする情報検索システム。
【請求項２】
請求項１記載の情報検索システムにおいて、前記情報端末装置は他の情報端末装置に対して情報要求を行なう情報要求部をさらに備え、該情報要求部は、
前記他の情報端末装置側へ検索用のメタ情報を用いた情報要求を行う情報要求発行手段と、
前記他の情報端末装置側から送られた検索結果情報を入力する情報入力手段と、
前記情報入力手段により入力した検索結果情報に検索された情報が含まれる場合、該検索結果情報を記録部に記録する入力情報記録手段とを備えたことを特徴とする情報検索システム。
【請求項３】
請求項２記載の情報検索システムにおいて、前記情報応答手段は、前記検索手段により第１の情報端末装置からの情報要求に対し前記記録部に記録された情報中から検索用のメタ情報と一致するメタ情報を付した情報が検索されなかった場合、
前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、
前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段と
をさらに備えたことを特徴とする情報検索システム。
【請求項４】
請求項１ないし３のいずれかに記載の情報検索システムにおいて、前記情報検索部の前記検索手段における情報要求は、ネットワークを介して接続されたコンピュータからの要求であることを特徴とする情報検索システム。
【請求項５】
請求項１ないし４のいずれかに記載の情報検索システムにおいて、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンであることを特徴とする情報検索システム。
【請求項６】
請求項５記載の情報検索システムにおいて、前記車両に関する情報は車両の事故情報であり、前記メタ情報は渋滞原因であることを特徴とする情報検索システム。
【請求項７】
請求項５記載の情報検索システムにおいて、前記車両に関する情報は駐車場の空車情報であり、前記メタ情報は空車位置であることを特徴とする情報検索システム。
【請求項８】
請求項１ないし４のいずれかに記載の情報検索システムにおいて、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたことを特徴とする情報検索システム。
【請求項９】
請求項８記載の情報検索システムにおいて、前記メタ情報入力手段は、前記撮像器が前記店舗を撮像可能な方向へ向けられている場合に、前記メタ情報発行装置から送られたメタ情報を入力することを特徴とする情報検索システム。
【請求項１０】
請求項９記載の情報検索システムにおいて、前記店舗が複数存在する場合、前記メタ情報入力手段は、前記撮像器が撮像可能な方向へ向けられている店舗に設置された前記メタ情報発行装置から送られたメタ情報を入力することを特徴とする情報検索システム。
【請求項１１】
請求項１ないし４のいずれかに記載の情報検索システムにおいて、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたことを特徴とする情報検索システム。
【請求項１２】
発生した情報を処理する情報端末装置と、発生した情報の範疇を示すメタ情報を情報端末装置側へ送るメタ情報発行装置とを用いた情報検索方法であって、
前記情報端末装置は、発生した情報の収集を行う情報収集部と情報要求に対して検索を行う情報検索部とを有し、
前記情報収集部が、
発生した情報を取得する情報取得器により取得された情報について前記メタ情報発行装置から送られたメタ情報を入力するメタ情報入力ステップと、
前記情報取得器により取得した情報に、前記メタ情報入力ステップで入力したメタ情報を付して記録部に記録する情報記録ステップと、
前記情報検索部が、
検索用のメタ情報を用いて行なわれた情報要求に対し、前記記録部に記録された情報中から該検索用のメタ情報と一致するメタ情報が付された情報を検索する検索ステップと、
前記検索ステップで情報が検索された場合、該検索された情報または前記検索用のメタ情報が付された該検索された情報を含む検索結果情報を情報要求を行なった側へ送る情報応答ステップと
を備えたことを特徴とする情報検索方法。
【請求項１３】
請求項１２記載の情報検索方法において、前記情報端末装置は他の情報端末装置に対して情報要求を行なう情報要求部をさらに備え、該情報要求部が、
前記他の情報端末装置側へ検索用のメタ情報を用いた情報要求を行う情報要求発行ステップと、
前記他の情報端末装置側から送られた検索結果情報を入力する情報入力ステップと、
前記情報入力ステップにより入力した検索結果情報に検索された情報が含まれる場合、該検索結果情報を記録部に記録する入力情報記録ステップとを備えたことを特徴とする情報検索方法。
【請求項１４】
請求項１２または１３記載の情報検索方法において、前記情報応答ステップは、前記検索ステップで第１の情報端末装置からの情報要求に対し前記記録部に記録された情報中から検索用のメタ情報と一致するメタ情報を付した情報が検索されなかった場合、
前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継ステップと、
前記情報中継ステップで前記情報要求部に情報要求を行なわせた後、所定の時間経過後に第２の情報端末装置側から検索結果情報が入力されなかった場合、前記検索用のメタ情報を第１の情報端末装置側へ送る中継終了ステップと
をさらに備えたことを特徴とする情報検索方法。
【請求項１５】
請求項１２ないし１４のいずれかに記載の情報検索方法において、前記情報検索部の前記検索ステップにおける情報要求は、ネットワークを介して接続されたコンピュータからの要求であることを特徴とする情報検索方法。
【請求項１６】
情報検索システムにおける発生した情報を処理する情報端末装置であって、該情報端末装置は、発生した情報の収集を行う情報収集部と情報要求に対して検索を行う情報検索部とを有し、
前記情報収集部は、
発生した情報を取得する情報取得器と、
前記情報取得器により取得された情報について前記メタ情報発行装置から送られたメタ情報を入力するメタ情報入力手段と、
前記情報取得器により取得した情報に、前記メタ情報入力手段により入力したメタ情報を付して記録部に記録する情報記録手段とを備え、
前記情報検索部は、
検索用のメタ情報を用いて行なわれた情報要求に対し、前記記録部に記録された情報中から該検索用のメタ情報と一致するメタ情報が付された情報を検索する検索手段と、
前記検索手段により情報が検索された場合、該検索された情報または前記検索用のメタ情報が付された該検索された情報を含む検索結果情報を情報要求を行なった側へ送る情報応答手段と
を備えたことを特徴とする情報端末装置。
【請求項１７】
請求項１６記載の情報端末装置において、前記情報端末装置は他の情報端末装置に対して情報要求を行なう情報要求部をさらに備え、該情報要求部は、
前記他の情報端末装置側へ検索用のメタ情報を用いた情報要求を行う情報要求発行手段と、
前記他の情報端末装置側から送られた検索結果情報を入力する情報入力手段と、
前記情報入力手段により入力した検索結果情報に検索された情報が含まれる場合、該検索結果情報を記録部に記録する入力情報記録手段とを備えたことを特徴とする情報端末装置。
【請求項１８】
請求項１６または１７記載の情報端末装置において、前記情報応答手段は、前記検索手段により第１の情報端末装置からの情報要求に対し前記記録部に記録された情報中から検索用のメタ情報と一致するメタ情報を付した情報が検索されなかった場合、
前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、
前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段と
をさらに備えたことを特徴とする情報端末装置。
【請求項１９】
請求項１６ないし１８のいずれかに記載の情報端末装置において、前記情報検索部の前記検索手段における情報要求は、ネットワークを介して接続されたコンピュータからの要求であることを特徴とする情報端末装置。
【請求項２０】
請求項１６ないし１９のいずれかに記載の情報端末装置において、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンであることを特徴とする情報端末装置。
【請求項２１】
請求項１６ないし１９のいずれかに記載の情報端末装置において、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたことを特徴とする情報端末装置。
【請求項２２】
請求項１６ないし１９のいずれかに記載の情報端末装置において、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたことを特徴とする情報端末装置。
【請求項２３】
情報検索システムにおける発生した情報を処理する情報端末装置のコンピュータ上で動作するプログラムであって、該情報端末装置は、発生した情報の収集を行う情報収集部と情報要求に対して検索を行う情報検索部とを有し、該コンピュータを、
前記情報収集部について、
発生した情報を取得する情報取得器により取得された情報について前記メタ情報発行装置から送られたメタ情報を入力するメタ情報入力手段、
前記情報取得器により取得した情報に、前記メタ情報入力手段により入力したメタ情報を付して記録部に記録する情報記録手段として機能させ、
前記情報検索部について、
検索用のメタ情報を用いて行なわれた情報要求に対し、前記記録部に記録された情報中から該検索用のメタ情報と一致するメタ情報が付された情報を検索する検索手段、
前記検索手段により情報が検索された場合、該検索された情報または前記検索用のメタ情報が付された該検索された情報を含む検索結果情報を情報要求を行なった側へ送る情報応答手段
として機能させるためのプログラム。
【請求項２４】
請求項２３記載のプログラムにおいて、前記情報端末装置は他の情報端末装置に対して情報要求を行なう情報要求部をさらに備え、該情報要求部は、
前記他の情報端末装置側へ検索用のメタ情報を用いた情報要求を行う情報要求発行手段と、
前記他の情報端末装置側から送られた検索結果情報を入力する情報入力手段と、
前記情報入力手段により入力した検索結果情報に検索された情報が含まれる場合、該検索結果情報を記録部に記録する入力情報記録手段とを備えたことを特徴とするプログラム。
【請求項２５】
請求項２３または２４記載のプログラムにおいて、前記情報応答手段は、前記検索手段により第１の情報端末装置からの情報要求に対し前記記録部に記録された情報中から検索用のメタ情報と一致するメタ情報を付した情報が検索されなかった場合、
前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、
前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段と
をさらに備えたことを特徴とするプログラム。
【請求項２６】
請求項２３ないし２５のいずれかに記載のプログラムにおいて、前記情報検索部の前記検索手段における情報要求は、ネットワークを介して接続されたコンピュータからの要求であることを特徴とするプログラム。
【請求項２７】
請求項２３ないし２６のいずれかに記載のプログラムにおいて、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンであることを特徴とするプログラム。
【請求項２８】
請求項２３ないし２６のいずれかに記載のプログラムにおいて、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたことを特徴とするプログラム。
【請求項２９】
請求項２３ないし２６のいずれかに記載のプログラムにおいて、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたことを特徴とするプログラム。
【請求項３０】
請求項２３ないし２９のいずれかに記載のプログラムを記録したコンピュータ読取り可能な記録媒体。
【発明の詳細な説明】
【技術分野】
【０００１】
本発明は、発生した情報の収集および検索を行う情報端末装置と、発生した情報の範疇を示すメタ情報を情報端末装置側へ送信するメタ情報発行装置とを備えた情報検索システム等に関する。
【背景技術】
【０００２】
従来、住宅等の内部に設置されたセンサをネットワークを介してユーザ側から遠隔操作することにより、住宅等の内部における情報を収集する技術が開発されている。例えば特許文献１には、住宅内にＴＶカメラを設置し、外出先からＴＶカメラの撮像範囲等を制御し、得られた映像信号をインターネット経由で受信して確認することができる技術が示されている。あるいは特許文献２には、家庭等の内部に移動式のロボットを置き、遠隔地からロボットを制御し、ロボットからのカメラ映像により制御結果を判断することができる技術が示されている。上述の従来技術は、いずれも外出先または遠隔地にいるユーザ等が得られた映像信号等の情報を判断するものであった。情報の判断または解釈はユーザ側でなされていたため、ユーザ側に著しい負荷がかかるという問題があった。
【０００３】
上述の問題を解決するため、従来、住宅等の内部に設置されたセンサ側に情報を判断または解釈するための機能を分担させる技術が開発されている。図１０は、住宅等の内部に設置されたセンサを外部から遠隔操作する従来の技術を示す。図１０において、符号７７は住宅等、７８は住宅等７７内に設置されたカメラ等のセンサ、７９は住宅等７７内に設置された冷蔵庫等の家電製品、７６は住宅等７７の外部に存在する携帯電話等の端末である。カメラ７８側には、冷蔵庫等の家電製品７９を認識可能なようにその固定的な映像パターンを予め内部に用意しておく。例えば冷蔵庫等の家電製品７９の扉が閉じている状態の映像パターンと開いている状態のパターンとを用意しておく。この結果、カメラ７８側は例えば冷蔵庫等の家電製品７９の扉が開いている状態の映像パターンを撮像した場合、当該映像パターンとの照合により冷蔵庫等の家電製品７９の扉が開いていると判断または解釈することが可能となる。ある対象物について遠隔操作を行なう場合には、カメラ７８側に遠隔操作を行なう前後の対象物の固定的な映像パターンを予め用意しておくことにより、同様にカメラ７８側は遠隔操作の結果を判断または解釈することも可能となる。
【特許文献１】特開２００３−６１０７７
【特許文献２】特開２００３−６５３２
【発明の開示】
【発明が解決しようとする課題】
【０００４】
上述のように、カメラ７８側に対象物を認識可能なようにその固定的な映像パターンを予め内部に用意しておき、撮像した映像と当該映像パターンとの照合により、撮像した映像の判断または解釈を行なうことが可能となる。しかし、例えば事故等が発生してカメラ７８側に予め準備された固定的な映像パターンとは異なる映像が撮像された場合、カメラ７８側では当該映像の判断または解釈を行なうことはできない。このような事故等が発生した場合、遠隔地にいる情報端末のユーザはカメラ７８を制御して数多くの映像を収集した上で、何が発生したのかを判断または解釈する必要がある。この結果、事故等の情報の発生した位置から遠隔地にいる情報端末のユーザにとっては、当該発生した情報の判断または解釈において著しい負担がかかると共に極めて時間を要するという問題があった。一方、カメラ７８をセンサとして捉えた場合、その役割または用途は単一かつ一義的なものであった。このため、種々の役割または用途に応じて多数のカメラ７８等を住宅等７７内または屋外に設置する必要があるという問題があった。仮に住宅等７７内に設置されたカメラ７８を屋外へ持ち出すことができたとしても、当該カメラ７８から取得する情報の変化に対処することができず、カメラ７８の動的かつ汎用的な利用をすることができないという問題があった。不特定多数の端末７６等相互でカメラ７８から得たセンサ情報を交信し合う場合、各端末７６等では予め十分に交信のための計画を立てておく必要があるという問題があった。
【０００５】
そこで、本発明の目的は、上記問題を解決するためになされたものであり、情報の発生した位置から遠隔地にいる情報端末において、当該発生した位置で収集された情報の判断または解釈に著しい負荷および時間を要することのない情報検索システム等を提供することにある。本発明の第２の目的は、カメラ等のセンサから取得する情報の変化に動的に対応でき、汎用的な利用をすることができる情報検索システム等を提供することにある。本発明の第３の目的は、不特定多数の情報端末でカメラ等のセンサから得たセンサ情報を容易に交信し合うことのできる情報検索システム等を提供することにある。
【課題を解決するための手段】
【０００６】
本発明の情報検索システムは、発生した情報を処理する情報端末装置と、発生した情報の範疇を示すメタ情報を該情報端末装置側へ送るメタ情報発行装置とを備えた情報検索システムであって、前記情報端末装置は、発生した情報の収集を行う情報収集部と情報要求に対して検索を行う情報検索部とを有し、前記情報収集部は、発生した情報を取得する情報取得器と、前記情報取得器により取得された情報について前記メタ情報発行装置から送られたメタ情報を入力するメタ情報入力手段と、前記情報取得器により取得した情報に、前記メタ情報入力手段により入力したメタ情報を付して記録部に記録する情報記録手段とを備え、前記情報検索部は、検索用のメタ情報を用いて行なわれた情報要求に対し、前記記録部に記録された情報中から該検索用のメタ情報と一致するメタ情報が付された情報を検索する検索手段と、前記検索手段により情報が検索された場合、該検索された情報または前記検索用のメタ情報が付された該検索された情報を含む検索結果情報を情報要求を行なった側へ送る情報応答手段とを備えたことを特徴とする。
【０００７】
ここで、本発明の情報検索システムにおいて、前記情報端末装置は他の情報端末装置に対して情報要求を行なう情報要求部をさらに備え、該情報要求部は、前記他の情報端末装置側へ検索用のメタ情報を用いた情報要求を行う情報要求発行手段と、前記他の情報端末装置側から送られた検索結果情報を入力する情報入力手段と、前記情報入力手段により入力した検索結果情報に検索された情報が含まれる場合、該検索結果情報を記録部に記録する入力情報記録手段とを備えることができる。
【０００８】
ここで、本発明の情報検索システムにおいて、前記情報応答手段は、前記検索手段により第１の情報端末装置からの情報要求に対し前記記録部に記録された情報中から検索用のメタ情報と一致するメタ情報を付した情報が検索されなかった場合、前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段とをさらに備えることができる。
【０００９】
ここで、本発明の情報検索システムにおいて、前記情報検索部の前記検索手段における情報要求は、ネットワークを介して接続されたコンピュータからの要求とすることができる。
【００１０】
ここで、本発明の情報検索システムにおいて、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンとすることができる。
【００１１】
ここで、本発明の情報検索システムにおいて、前記車両に関する情報は車両の事故情報であり、前記メタ情報は渋滞原因とすることができる。
【００１２】
ここで、本発明の情報検索システムにおいて、前記車両に関する情報は駐車場の空車情報であり、前記メタ情報は空車位置とすることができる。
【００１３】
ここで、本発明の情報検索システムにおいて、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたこととすることができる。
【００１４】
ここで、本発明の情報検索システムにおいて、前記メタ情報入力手段は、前記撮像器が前記店舗を撮像可能な方向へ向けられている場合に、前記メタ情報発行装置から送られたメタ情報を入力することができる。
【００１５】
ここで、本発明の情報検索システムにおいて、前記店舗が複数存在する場合、前記メタ情報入力手段は、前記撮像器が撮像可能な方向へ向けられている店舗に設置された前記メタ情報発行装置から送られたメタ情報を入力することができる。
【００１６】
ここで、本発明の情報検索システムにおいて、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたこととすることができる。
【００１７】
本発明の情報検索方法は、発生した情報を処理する情報端末装置と、発生した情報の範疇を示すメタ情報を情報端末装置側へ送るメタ情報発行装置とを用いた情報検索方法であって、前記情報端末装置は、発生した情報の収集を行う情報収集部と情報要求に対して検索を行う情報検索部とを有し、前記情報収集部が、発生した情報を取得する情報取得器により取得された情報について前記メタ情報発行装置から送られたメタ情報を入力するメタ情報入力ステップと、前記情報取得器により取得した情報に、前記メタ情報入力ステップで入力したメタ情報を付して記録部に記録する情報記録ステップと、前記情報検索部が、検索用のメタ情報を用いて行なわれた情報要求に対し、前記記録部に記録された情報中から該検索用のメタ情報と一致するメタ情報が付された情報を検索する検索ステップと、前記検索ステップで情報が検索された場合、該検索された情報または前記検索用のメタ情報が付された該検索された情報を含む検索結果情報を情報要求を行なった側へ送る情報応答ステップとを備えたことを特徴とする。
【００１８】
ここで、本発明の情報検索方法において、前記情報端末装置は他の情報端末装置に対して情報要求を行なう情報要求部をさらに備え、該情報要求部が、前記他の情報端末装置側へ検索用のメタ情報を用いた情報要求を行う情報要求発行ステップと、前記他の情報端末装置側から送られた検索結果情報を入力する情報入力ステップと、前記情報入力ステップにより入力した検索結果情報に検索された情報が含まれる場合、該検索結果情報を記録部に記録する入力情報記録ステップとを備えることができる。
【００１９】
ここで、本発明の情報検索方法において、前記情報応答ステップは、前記検索ステップで第１の情報端末装置からの情報要求に対し前記記録部に記録された情報中から検索用のメタ情報と一致するメタ情報を付した情報が検索されなかった場合、前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継ステップと、前記情報中継ステップで前記情報要求部に情報要求を行なわせた後、所定の時間経過後に第２の情報端末装置側から検索結果情報が入力されなかった場合、前記検索用のメタ情報を第１の情報端末装置側へ送る中継終了ステップとをさらに備えることができる。
【００２０】
ここで、本発明の情報検索方法において、前記情報検索部の前記検索ステップにおける情報要求は、ネットワークを介して接続されたコンピュータからの要求とすることができる。
【００２１】
本発明の情報端末装置は、情報検索システムにおける発生した情報を処理する情報端末装置であって、該情報端末装置は、発生した情報の収集を行う情報収集部と情報要求に対して検索を行う情報検索部とを有し、前記情報収集部は、発生した情報を取得する情報取得器と、前記情報取得器により取得された情報について前記メタ情報発行装置から送られたメタ情報を入力するメタ情報入力手段と、前記情報取得器により取得した情報に、前記メタ情報入力手段により入力したメタ情報を付して記録部に記録する情報記録手段とを備え、前記情報検索部は、検索用のメタ情報を用いて行なわれた情報要求に対し、前記記録部に記録された情報中から該検索用のメタ情報と一致するメタ情報が付された情報を検索する検索手段と、前記検索手段により情報が検索された場合、該検索された情報または前記検索用のメタ情報が付された該検索された情報を含む検索結果情報を情報要求を行なった側へ送る情報応答手段とを備えたことを特徴とする。
【００２２】
ここで、本発明の情報端末装置において、前記情報端末装置は他の情報端末装置に対して情報要求を行なう情報要求部をさらに備え、該情報要求部は、前記他の情報端末装置側へ検索用のメタ情報を用いた情報要求を行う情報要求発行手段と、前記他の情報端末装置側から送られた検索結果情報を入力する情報入力手段と、前記情報入力手段により入力した検索結果情報に検索された情報が含まれる場合、該検索結果情報を記録部に記録する入力情報記録手段とを備えることができる。
【００２３】
ここで、本発明の情報端末装置において、前記情報応答手段は、前記検索手段により第１の情報端末装置からの情報要求に対し前記記録部に記録された情報中から検索用のメタ情報と一致するメタ情報を付した情報が検索されなかった場合、前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段とをさらに備えることができる。
【００２４】
ここで、本発明の情報端末装置において、前記情報検索部の前記検索手段における情報要求は、ネットワークを介して接続されたコンピュータからの要求とすることができる。
【００２５】
ここで、本発明の情報端末装置において、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンとすることができる。
【００２６】
ここで、本発明の情報端末装置において、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたこととすることができる。
【００２７】
ここで、本発明の情報端末装置において、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたこととすることができる。
【００２８】
本発明のプログラムは、情報検索システムにおける発生した情報を処理する情報端末装置のコンピュータ上で動作するプログラムであって、該情報端末装置は、発生した情報の収集を行う情報収集部と情報要求に対して検索を行う情報検索部とを有し、該コンピュータを、前記情報収集部について、発生した情報を取得する情報取得器により取得された情報について前記メタ情報発行装置から送られたメタ情報を入力するメタ情報入力手段、前記情報取得器により取得した情報に、前記メタ情報入力手段により入力したメタ情報を付して記録部に記録する情報記録手段として機能させ、前記情報検索部について、検索用のメタ情報を用いて行なわれた情報要求に対し、前記記録部に記録された情報中から該検索用のメタ情報と一致するメタ情報が付された情報を検索する検索手段、前記検索手段により情報が検索された場合、該検索された情報または前記検索用のメタ情報が付された該検索された情報を含む検索結果情報を情報要求を行なった側へ送る情報応答手段として機能させるためのプログラムである。
【００２９】
ここで、本発明のプログラムにおいて、前記情報端末装置は他の情報端末装置に対して情報要求を行なう情報要求部をさらに備え、該情報要求部は、前記他の情報端末装置側へ検索用のメタ情報を用いた情報要求を行う情報要求発行手段と、前記他の情報端末装置側から送られた検索結果情報を入力する情報入力手段と、前記情報入力手段により入力した検索結果情報に検索された情報が含まれる場合、該検索結果情報を記録部に記録する入力情報記録手段とを備えることができる。
【００３０】
ここで、本発明のプログラムにおいて、前記情報応答手段は、前記検索手段により第１の情報端末装置からの情報要求に対し前記記録部に記録された情報中から検索用のメタ情報と一致するメタ情報を付した情報が検索されなかった場合、前記情報要求部に、第１の情報端末装置と異なる第２の情報端末装置を前記他の情報端末装置として該検索用のメタ情報を用いた情報要求を行なわせ、第２の情報端末装置側から入力した検索結果情報に検索された情報が含まれる場合、該検索結果情報を第１の情報端末装置へ送る情報中継手段と、前記情報中継手段により前記情報要求部に情報要求を行なわせた後、所定の時間経過後に第２の情報端末装置側から検索結果情報が入力されなかった場合、前記検索用のメタ情報を第１の情報端末装置側へ送る中継終了手段とをさらに備えることができる。
【００３１】
ここで、本発明のプログラムにおいて、前記情報検索部の前記検索手段における情報要求は、ネットワークを介して接続されたコンピュータからの要求とすることができる。
【００３２】
ここで、本発明のプログラムにおいて、前記発生した情報は車両に関する情報であり、前記情報取得器は該車両に関する情報を撮像する撮像器であり、前記情報端末装置は車両に設置された無線端末であり、前記メタ情報発行装置はメタ情報を無線で送信するビーコンとすることができる。
【００３３】
ここで、本発明のプログラムにおいて、前記発生した情報は店舗に関する情報であり、前記情報取得器は該店舗を撮像する撮像器および該店舗の位置情報を取得する位置情報取得器であり、前記情報端末装置は携帯可能であり、前記メタ情報発行装置はメタ情報を無線で送信するビーコンであり該店舗に設置されたこととすることができる。
【００３４】
ここで、本発明のプログラムにおいて、前記発生した情報は風景に関する情報であり、前記情報取得器は該風景を撮像する撮像器であり、前記情報端末装置は該風景を撮像可能な場所に設置され、前記メタ情報発行装置は該風景の撮像時刻を含むメタ情報を無線で送信するビーコンであり該情報端末装置の近傍に設置されたこととすることができる。
【００３５】
本発明の記録媒体は、本発明のいずれかのプログラムを記録したコンピュータ読取り可能な記録媒体である。
【発明の効果】
【００３６】
情報の発生源から遠隔地にある情報端末装置Ａが、発生源の近傍に存在する情報端末装置Ｂへ所望のメタ情報をカテゴリとして用いた情報要求を行ない、これに対する返答として、遠隔地で発生した情報を大量の情報を処理することなく迅速に受信することができる。情報端末装置Ａよりさらに遠隔地にある情報端末装置Ｃは、近傍に存在する情報端末装置Ａの情報中継機能を利用することにより、発生源の近傍に存在する情報端末装置Ｂへ情報端末装置Ａを介して所望のメタ情報を用いた情報要求を行なうことができる。これに対する返答として、遠隔地で発生した情報またはメタ情報が付された情報を情報端末装置Ａを介して受信することができる。このため、情報の発生源で収集された大量の情報を受信してしまった後に、当該大量の情報についての判断または解釈に著しい負荷がかかることがなく、多くの時間を要することもなくなるという効果がある。
【発明を実施するための最良の形態】
【００３７】
以下、各実施例について図面を参照して詳細に説明する。
【実施例１】
【００３８】
図１は、本発明の実施例１における情報検索システム１００を示す。図１において、符号５０は情報ＩＮＦＯの発生源、２０は発生した情報ＩＮＦＯの収集および検索等の処理を行う情報端末装置、２０−１および２０−２は情報端末装置２０と同様の機能を有する他の情報端末装置、５２は発生した情報ＩＮＦＯの範疇を示すメタ情報ＭＥＴＡを情報端末装置２０側へ送るメタ情報発行装置である。メタ情報ＭＥＴＡは情報検索の際に用いられる情報の範疇（カテゴリ）であり、いわゆる検索キーより上位の概念として用いられる内容を有している。メタ情報の代わりにタグまたはインデックスと呼んでもよい。メタ情報ＭＥＴＡをインデックスとした場合、メタ情報発行装置５２はインデックス送信機と捉えることができる。
【００３９】
情報端末装置２０は、発生した情報ＩＮＦＯの収集を行う情報収集部３０、情報要求に対して検索を行う情報検索部３５および他の情報端末装置２０−１等に対して情報要求を行なう情報要求部４０を有している。以下、順に説明する。情報収集部３０は、発生した情報ＩＮＦＯを取得する情報取得器２２と、情報取得器２２により取得された情報ＩＮＦＯについてメタ情報発行装置５２から送られたメタ情報ＭＥＴＡをアンテナ２６および無線機２５（以下、「無線機２５等」と略す。）を介して入力するメタ情報入力部３２（メタ情報入力手段）と、情報取得器２２により取得した情報ＩＮＦＯに、メタ情報入力部３２により入力したメタ情報を付して記録部２４に記録する情報記録部３４（情報記録手段）とを備えている。記録部２４は、種々の情報ＩＮＦＯｋ（ｋ＝１，２，３，．．．）に対応するメタ情報ＭＥＴＡｋ（ｋ＝１，２，３，．．．）が付された、例えば（ＭＥＴＡｊ：ＩＮＦＯｊ）のように記録されたデータベースである。このため所定のＭＥＴＡｋ情報をカテゴリとして対応する情報ＩＮＦＯｋ（ｋ＝１，２，３，．．．）を迅速に検索することが可能である。メタ情報入力部３２はメタ情報ＭＥＴＡｋ（ｋ＝１，２，３，．．．）を無線機２５等から入力するだけではなく、有線網またはＣＤ−ＲＯＭ、ＳＤ（Secure Digital）カード等の種々の記録媒体を介して入力することもできる。このため、メタ情報ＭＥＴＡｋ自体のバージョンアップを上記記録媒体を用いることにより行なうこともできる。以下、本明細書中ではメタ情報だけではなく種々の情報ＩＮＦＯｋ（ｋ＝１，２，３，．．．）についても無線機２５等を介して行なわれる送受信は、上記種々の記録媒体を介して入出力することができるものとする。
【００４０】
情報検索部３５は、無線機２５等を介して外部、例えば後述するように他の情報端末装置２０−１から検索用のメタ情報ＭＥＴＡｊを用いて行なわれた情報要求に対し、記録部２４に記録された情報中から検索用のメタ情報ＭＥＴＡｊと一致するメタ情報が付された情報（例えば上記のＩＮＦＯｊ）を検索する検索部３６（検索手段）と、検索部３６により情報が検索された場合、検索された情報または検索用のメタ情報が付された検索された情報を含む検索結果情報ＲＥＳを無線機２５等を介して情報要求を行なった側へ送信する情報応答部３７（情報応答手段）とを備えている。検索用のメタ情報を１種類（ＭＥＴＡ）しか用いない場合、検索された情報ＩＮＦＯが上記ＭＥＴＡに対応することは明らかであるため、検索結果情報には情報ＩＮＦＯを含ませておけばよい。しかし、複数の種類のメタ情報ＭＥＴＡｋ（ｋ＝１，２，３，．．．）を用いる場合、検索された情報ＩＮＦＯｊがどのメタ情報ＭＥＴＡｋ（ｋ＝１，２，３，．．．）に対応するものであるのかを明確にする必要あるため、検索結果情報には例えば（ＭＥＴＡｊ：ＩＮＦＯｊ）のように検索用のメタ情報ＭＥＴＡｊが付された検索された情報ＩＮＦＯｊを含めておく。情報中継部３８については後述する。他の情報端末装置２０−１のユーザは情報の発生源５０で何が起きたのかを知りたい場合、所望のメタ情報ＭＥＴＡｊをカテゴリとして、情報の発生源５０に近い情報端末装置２０へ情報要求を行うことができる。その返答としてメタ情報ＭＥＴＡｊに対応する情報ＩＮＦＯｊを容易に得ることができる。このため、情報の発生源５０で収集された大量の情報ＩＮＦＯｋ（ｋ＝１，２，３，．．．）を受信してしまった後に、当該大量の情報ＩＮＦＯｋ（ｋ＝１，２，３，．．．）についての判断または解釈に著しい負荷がかかることがなく、多くの時間を要することもなくなる。以上の説明では、情報端末装置２０とメタ情報発行装置５２との間の無線通信、情報端末装置２０と情報端末装置２０−１等との間の無線通信について同一のアンテナ２６および無線機２５を用いるものとして説明したが、これらの無線部は別々のモジュールとしてもよい。
【００４１】
次に、情報要求部４０について説明する。説明の便宜上、情報端末装置２０−１から情報端末装置２０へ情報要求を行なう場合を例に取り上げるが、情報端末装置の組合せが異なっても同様に処理される。情報端末装置２０−１の情報要求部４０−１（不図示）は他の情報端末装置２０の側（２台以上でもよい）へ検索用のメタ情報ＭＥＴＡｊを用いた情報要求ＱＲＹ−１を、情報端末装置２０−１の無線機２５−１等（不図示）を介して送信する情報要求発行部４２−１（情報要求発行手段：情報端末装置２０側において符号４２で図示）を有している。さらに、他の情報端末装置２０側（２台以上でもよい）から送信された検索結果情報（＝返答ＲＥＳ）を無線機２５−１等を介して受信する情報入力部４４−１（情報入力手段：情報端末装置２０側において符号４４で図示）と、情報入力部４４により入力した検索結果情報ＲＥＳに検索された情報ＩＮＦＯｊが含まれる場合、受信した検索結果情報ＲＥＳを情報端末装置２０−１の記録部２４−１（不図示）に記録する入力情報記録部４６−１（入力情報記録手段：情報端末装置２０側において符号４６で図示）とを有している。記録部２４−１は上述の記録部２４と同様に、種々の情報ＩＮＦＯｋ（ｋ＝１，２，３，．．．）に対応するメタ情報ＭＥＴＡｋ（ｋ＝１，２，３，．．．）が付された、例えば（ＭＥＴＡｊ：ＩＮＦＯｊ）のように記録されたデータベースである。
【００４２】
次に、情報中継部３８の情報中継機能について説明する。説明の便宜上、情報端末装置２０−２から情報端末装置２０−１を介して情報端末装置２０へ情報要求を行なう場合を例に取り上げるが、情報端末装置の組合せが異なっても情報中継機能は同様に実行される。まず、情報端末装置２０−２（第１の情報端末装置）から情報端末装置２０−１へ検索用のメタ情報ＭＥＴＡｊを用いた情報要求ＱＲＹ−２が行なわれる。次に、情報端末装置２０−１の情報検索部３５−１（不図示）は、検索部３６−１（不図示）により記録部２４−１に記録された情報中から検索用のメタ情報ＭＥＴＡｊと一致するメタ情報を付した情報を検索する。ここで、当該メタ情報が検索されなかった場合、情報中継部３８−１（情報中継手段：情報端末装置２０側において符号３８で図示）は、情報要求部４０−１に、情報端末装置２０−２（第１の情報端末装置）と異なる情報端末装置２０（第２の情報端末装置）を他の情報端末装置として検索用のメタ情報ＭＥＴＡｊを用いた情報要求ＱＲＹ−１を無線機２５−１等を介して送信させる。この後、情報端末装置２０側から無線機２５−１等を介して検索結果情報ＲＥＳを受信した場合、受信した検索結果情報ＲＥＳに検索された情報ＩＮＦＯｊが含まれている場合、検索結果情報ＲＥＳを情報端末装置２０−２へ検索結果情報ＲＥＳ−１（＝ＲＥＳ）として送信する。中継終了部３９−１（中継終了手段：情報端末装置２０側において符号３９で図示）は、情報中継部３８−１により情報要求部４０−１に情報要求を行なわせた後、所定の時間経過後に情報端末装置２０側から検索結果情報ＲＥＳが入力されなかった場合、検索用のメタ情報ＭＥＴＡｊを情報端末装置２０−２側へ送る。この結果、情報端末装置２０−２側は、検索用のメタ情報ＭＥＴＡｊに対応する検索された情報ＩＮＦＯｊが少なくとも所定の検索時間の範囲内では存在していないという情報を得ることができる。所定の時間は各中継終了部３９−１、３９−２等毎にまたは共通の値に設定することができる。以上より、ある情報端末装置２０−２から別の情報端末装置２０−１を介して情報の発生源５０に近い情報端末装置２０へ情報要求を行なうことができる。すなわち別の情報端末装置２０−１は情報端末装置２０−２と情報端末装置２０との間の情報中継的機能を果たすことができる。図１では中継的機能を果たす情報端末装置２０−１が１台の場合を例に取り上げたが、複数台であっても同様に中継することができる。中継的機能を果たす情報端末装置２０−１等の記録部２４−１に既に検索用のメタ情報ＭＥＴＡｊを付した情報ＩＮＦＯｊが存在する場合は、当該情報端末装置２０−１等から情報要求を行なった情報端末装置２０−２等側へ、情報ＩＮＦＯｊを返答ＲＥＳ−１等（＝ＲＥＳ）として送信すればよい。
【００４３】
上述の情報検索システム１００において、情報検索部３５の検索部３６が扱う情報要求は、ネットワークを介して接続されたコンピュータからの要求であってもよい。図１において、符号６０はパケット通信網、６２はパケット通信網６０に接続された基地局、６４はパケット通信網６０に接続された通信会社等の通信センタ、７０はインターネット、６６、７２および８２はインターネット７０と接続しルーティング機能を有するルータ、７４はルータ７２によりインターネット７０と接続したＬＡＮ７５上のサーバ等のコンピュータ、８４はルータ８２によりインターネット７０と接続したＬＡＮ８５内のＰＣ等のコンピュータである。情報端末装置２０は基地局６２を介してパケット通信可能であるものとする。情報端末装置２０と通信センタ６４との間のパケット通信も、上述のように情報端末装置２０とメタ情報発行装置５２との間の無線通信、情報端末装置２０と情報端末装置２０−１等との間の無線通信と同様に、同一のアンテナ２６および無線機２５を用いるものとして図示した。しかし、これらの無線部は別々のモジュールとしてもよい。
【００４４】
情報検索部３５の検索部３６は、無線機２５等を通し、パケット通信網６０およびインターネット７０等のネットワークを介して接続されたサーバ７４またはＰＣ８４等のコンピュータから検索用のメタ情報ＭＥＴＡｊを用いて行なわれた情報要求に対し、記録部２４に記録された情報中から検索用のメタ情報ＭＥＴＡｊと一致するメタ情報が付された情報ＩＮＦＯｊを検索する。情報応答部３７は、検索部３６により検索された情報ＩＮＦＯｊを無線機２５等を介して情報要求を行なった側のサーバ７４またはＰＣ８４等のコンピュータへ送信する。この結果、情報検索部３５はパケット通信網６０およびインターネット７０等のネットワークを介して接続されたサーバ７４またはＰＣ８４等のコンピュータからの情報要求であっても、応答することができる。
【００４５】
次に、本発明の情報検索方法およびプログラムの動作について説明する。図２（Ａ）〜図２（Ｃ）は本発明の情報検索方法およびプログラムの動作を示すフローチャートである。図２（Ａ）は情報端末装置２０を例にして情報収集部３０および情報検索部３５の機能を示し、図２（Ｂ）は情報端末装置２０および２０−１を例にして情報要求部４０の機能を中心に示し、図２（Ｃ）は情報端末装置２０、２０−１および２０−２を例にして情報中継部３８の機能を中心に示している。以下、順に説明する。
【００４６】
図２（Ａ）に示されるように、情報収集部３０において、まず発生した情報ＩＮＦＯｊを情報取得器２２により取得し（ステップＳ１０）、当該情報ＩＮＦＯｊについてメタ情報発行装置５２から送信されたメタ情報ＭＥＴＡｊを無線機２５等を介して受信する（メタ情報入力ステップ。ステップＳ１２）。次に、情報取得器２２により取得した情報ＩＮＦＯｊに、メタ情報入力ステップ（ステップＳ１２）で受信したメタ情報ＭＥＴＡｊを付して記録部２４に記録する（情報記録ステップ。ステップＳ１４）。情報検索部３５において、無線機２５等を介して検索用のメタ情報ＭＥＴＡｊを用いて行なわれた外部からの情報要求に対し、記録部２４に記録された情報中から検索用のメタ情報ＭＥＴＡｊと一致するメタ情報が付された情報ＩＮＦＯｊを検索する（検索ステップ。ステップＳ１６）。次に、検索ステップ（ステップＳ１６）で情報ＩＮＦＯｊが検索された場合、当該情報ＩＮＦＯｊまたは上記メタ情報ＭＥＴＡｊが付された当該情報ＩＮＦＯｊを含む検索結果情報ＲＥＳを無線機２５等を介して情報要求を行なった側へ送信する（情報応答ステップ。ステップＳ１８）。検索結果情報ＲＥＳに含ませる情報に関しては上述と同様であるため省略する。
【００４７】
図２（Ｂ）において、図２（Ａ）と同じステップＳ番号を付したブロックは同じ機能を有するため説明は省略する。図２（Ｂ）中の左側のフローチャートは情報端末装置２０の動作を示し、右側のフローチャートは情報端末装置２０−１の動作を示し、両者間の無線通信は点線で示す。図２（Ｂ）に示されるように、情報端末装置２０−１の情報要求部４０−１は、他の情報端末装置２０側へ検索用のメタ情報ＭＥＴＡｊを用いた情報要求ＱＲＹ−１を無線機２５等を介して送信する（情報要求発行ステップ。ステップＳ２０）。
【００４８】
情報端末装置２０の情報検索部３５は、上述のように、外部（情報端末装置２０−１）からの情報要求ＱＲＹ−１に対し記録部２４に記録された情報中から検索用のメタ情報ＭＥＴＡｊと一致するメタ情報が付された情報ＩＮＦＯｊを検索する（検索ステップ。ステップＳ１６）。情報ＩＮＦＯｊが検索された場合、当該情報ＩＮＦＯｊまたは上記メタ情報ＭＥＴＡｊが付された当該情報ＩＮＦＯｊを含む検索結果情報ＲＥＳを無線機２５等を介して情報要求を行なった側（情報端末装置２０−１）へ返答ＲＥＳとして送信する（情報応答ステップ。ステップＳ１８）。
【００４９】
情報端末装置２０−１の情報要求部４０−１は、情報端末装置側２０から送信された検索結果情報ＲＥＳを無線機２５等を介して受信する（情報入力ステップ。ステップＳ２２）。次いで、情報入力ステップ（ステップＳ２４）で入力した検索結果情報ＲＥＳに検索された情報ＩＮＦＯｊが含まれる場合（ステップＳ２３）、受信した検索結果情報ＲＥＳを記録部２４−１に記録する（入力情報記録ステップ。ステップＳ２４）。
【００５０】
図２（Ｃ）において、図２（Ａ）、２（Ｂ）と同じステップＳ番号を付したブロックは同じ機能を有するため説明は省略する。図２（Ｃ）中の左側のフローチャートは情報端末装置２０の動作を示し、中央のフローチャートは情報端末装置２０−１の動作を示し、右側のフローチャートは情報端末装置２０−２の動作を示し、各情報端末装置間の無線通信は点線で示す。図２（Ｃ）に示されるように、まず、情報端末装置２０−２の情報要求部４０−２が、情報端末装置２０−１側へ検索用のメタ情報ＭＥＴＡｊを用いた情報要求ＱＲＹ−２を無線機２５−２等を介して送信する（情報要求発行ステップ。ステップＳ２０）。
【００５１】
情報端末装置２０−１の情報検索部３５−１は、情報端末装置２０−２（第１の情報端末装置）からの情報要求ＱＲＹ−２について、検索ステップ（ステップＳ１６）で記録部２４−１に記録された情報中から、検索用のメタ情報ＭＥＴＡｊと一致するメタ情報を付した情報ＩＮＦＯｊが検索されたか否かを判断する（ステップＳ１７）。ステップＳ１７で検索されなかったと判断された場合、情報要求部４０−１に、情報端末装置２０−２と異なる情報端末装置２０（第２の情報端末装置）側へ検索用のメタ情報ＭＥＴＡｊを用いた情報要求ＱＲＹ−１を無線機２５−１等を介して送信させる（情報中継ステップ。ステップＳ２６の前半）。
【００５２】
情報端末装置２０の情報検索部３５は、上述のように、外部（情報端末装置２０−１）からの情報要求ＱＲＹ−１に対し記録部２４に記録された情報中から検索用のメタ情報ＭＥＴＡｊと一致するメタ情報が付された情報ＩＮＦＯｊを検索する（検索ステップ。ステップＳ１６）。情報ＩＮＦＯｊが検索された場合、当該情報ＩＮＦＯｊまたは上記メタ情報ＭＥＴＡｊを付された当該情報ＩＮＦＯｊを含む検索結果情報ＲＥＳを無線機２５等を介して情報要求を行なった側（情報端末装置２０−１）へ返答ＲＥＳとして送信する（情報応答ステップ。ステップＳ１８）。情報端末装置２０−１の情報検索部３５−１は、情報端末装置２０側から無線機２５等を介して受信した検索結果情報ＲＥＳに検索された情報ＩＮＦＯｊが含まれている場合、受信した検索結果情報ＲＥＳを情報端末装置２０−２へ返答ＲＥＳ−１（＝ＲＥＳ）として送信する（情報中継ステップ。ステップＳ２６の後半）。ステップＳ２６で所定の時間を経過しても情報端末装置２０側から検索結果情報ＲＥＳを受信しなかった場合は、検索用のメタ情報ＭＥＴＡｊを情報端末装置２０−２側へ送信する。この結果、情報端末装置２０−２側は、検索用のメタ情報ＭＥＴＡｊに対応する検索された情報ＩＮＦＯｊが少なくとも所定の検索時間の範囲内では存在していないという情報を得ることができる。
【００５３】
上述の情報検索方法またはプログラムにおける情報検索部３５の検索ステップ（ステップＳ１６）においても上記情報検索システム１００の場合と同様に、情報要求ＱＲＹ−１、ＱＲＹ−２等は、パケット通信網６０およびインターネット７０等のネットワークを介して接続されたサーバ７４またはＰＣ８４等のコンピュータからの情報要求であってもよい。
【００５４】
以上より、本発明の実施例１によれば、情報端末装置２０の情報収集部３０が、情報取得器２２により取得された発生した情報ＩＮＦＯｊに、メタ情報発行装置５２から送信されたメタ情報ＭＥＴＡｊを付して記録部２４に記録しておく。情報検索部３５は、他の情報端末装置２０−１から検索用のメタ情報ＭＥＴＡｊを用いて行なわれた情報要求に対し、記録部２４に記録された情報中から検索用のメタ情報ＭＥＴＡｊと一致するメタ情報が付された情報ＩＮＦＯｊを検索する。検索された情報ＩＮＦＯｊまたは検索用のメタ情報ＭＥＴＡｊを付された当該情報ＩＮＦＯｊを含む検索結果情報ＲＥＳを、情報要求を行なった他の情報端末装置２０−１側へ送信する。他の情報端末装置２０−１の情報要求部４０−１は、受信した検索結果情報ＲＥＳに検索された情報ＩＮＦＯｊが含まれている場合、検索結果情報ＲＥＳを情報端末装置２０−１の記録部２４−１に記録する。
【００５５】
情報端末装置２０−２から情報端末装置２０−１を介して情報端末装置２０へ情報要求を行なう場合、まず情報端末装置２０−２から情報端末装置２０−１へ検索用のメタ情報ＭＥＴＡｊを用いた情報要求ＱＲＹ−２が行なわれる。次に、情報端末装置２０−１の情報検索部３５−１が記録部２４−１に記録された情報中から検索用のメタ情報ＭＥＴＡｊと一致するメタ情報を付した情報を検索する。ここで、当該メタ情報が検索されなかった場合、情報中継部３８−１は、情報要求部４０−１に、情報端末装置２０−２と異なる情報端末装置２０側へ検索用のメタ情報ＭＥＴＡｊを用いた情報要求ＱＲＹ−１を無線機２５−１等を介して送信させる。この後、情報端末装置２０側から無線機２５−１等を介して受信した検索結果情報ＲＥＳに検索された情報ＩＮＦＯｊが含まれている場合、検索結果情報ＲＥＳを情報端末装置２０−２へ送信する。この結果、ある情報端末装置２０−２から別の情報端末装置２０−１を介して情報の発生源５０に近い情報端末装置２０へ情報要求を行ない、それに対する返答を得ることができる。
【００５６】
以上により、情報ＩＮＦＯｊの発生した位置（発生源５０）から遠隔地にある情報端末装置２０−１が、発生源５０の近傍に存在する情報端末装置２０へ所望のメタ情報ＭＥＴＡｊを用いた情報要求を行ない、これに対する返答ＲＥＳとして遠隔地で発生した情報ＩＮＦＯｊまたは検索用のメタ情報ＭＥＴＡｊを付した当該情報ＩＮＦＯｊを含む検索結果情報ＲＥＳを受信することができる。情報端末装置２０−１よりさらに遠隔地にある情報端末装置２０−２は、情報端末装置２０−２の近傍に存在する情報端末装置２０−１の情報中継機能を利用することにより、まず発生源５０の近傍に存在する情報端末装置２０へ情報端末装置２０−１を介して所望のメタ情報ＭＥＴＡｊを用いた情報要求を行なうことができる。これに対する返答ＲＥＳとして、遠隔地で発生した情報ＩＮＦＯｊまたは検索用のメタ情報ＭＥＴＡｊを付した当該情報ＩＮＦＯｊを含む検索結果情報ＲＥＳを情報端末装置２０−１を介して受信することができる。すなわち、情報発生源５０から遠隔地に存在する情報端末装置２０−１は、情報の発生源５０で発生した情報を得る場合、まず所定のメタ情報ＭＥＴＡｊをカテゴリとして、情報の発生源５０に近い情報端末装置２０へ情報要求を行うことができる。その返答としてメタ情報ＭＥＴＡｊに対応する情報ＩＮＦＯｊまたは検索用のメタ情報ＭＥＴＡｊを付した検索された情報ＩＮＦＯｊを含む検索結果情報ＲＥＳを容易に得ることができる。このため、情報の発生源５０で収集された大量の情報ＩＮＦＯｋ（ｋ＝１，２，３，．．．）を受信してしまった後に、当該大量の情報ＩＮＦＯｋについての判断または解釈に著しい負荷がかかることがなく、多くの時間を要することもなくなる。情報取得器２２により取得された情報ＩＮＦＯｊが変化した場合であっても、メタ情報発行装置５２から送信されたメタ情報ＭＥＴＡｊを用いることにより、情報ＩＮＦＯｊの変化に動的に対応することができ、情報取得器２２の汎用的な利用を行なうことができる。不特定多数の情報端末装置２０−１等間であっても、情報取得器２２により取得された情報ＩＮＦＯｊを情報中継部３８−１の中継機能により、容易に交信し合うことができる。
【実施例２】
【００５７】
図３は、本発明の実施例２における情報検索システム１２０を示す。図３で図１と同じ符号を付した箇所は同じ要素を示すため、説明は省略する。図３において、符号９０、９０−１、９０−２等は車両、５０ａは情報の発生源５０の一実施例である事故車両、２２ａは情報取得器２２の一実施例である事故車両５０ａに関する情報を撮像するカメラ等の撮像器、５２ａはメタ情報発行装置５２の一実施例であるメタ情報を無線で送信する路側等にあるビーコン（例えばＥＴＣ（Electronic Toll Collection System）の路側機）、２０ａは情報端末装置２０の一実施例である車両９０に設置された無線端末、２０ａ−１は情報端末装置２０−１の一実施例である車両９０−１に設置された無線端末、２０ａ−２は情報端末装置２０−２の一実施例である車両９０−２に設置された無線端末である。図３に示されるように、実施例２において発生した情報ＩＮＦＯａは事故車両５０ａの事故画像（車両に関する情報）であり、ビーコン５２ａから送信されるメタ情報ＭＥＴＡａは例えば「渋滞原因」である。このメタ情報ＭＥＴＡａの内容「渋滞原因」は、事故車両５０ａにより発生した渋滞列の後方に存在する車両９０−１の無線端末２０ａ−１または車両９０−２の無線端末２０ａ−２等が、渋滞の発生した原因を検索する場合に用いることができるカテゴリの一つである。従って、同様なカテゴリを示すものであれば他のメタ情報の内容、例えば「前方の道路状況」に設定することもできる。あるいは類似する複数のメタ情報の内容「渋滞原因」、「前方の道路状況」等をグループ化しておき、メタ情報ＭＥＴＡａとしてグループ内の任意の内容を用いるようにしてもよい。
【００５８】
図３に示されるように、無線端末２０ａの情報収集部３０ａ（不図示）が撮像器２２ａにより取得された情報ＩＮＦＯａ（事故画像）に、ビーコン５２ａから送信されたメタ情報ＭＥＴＡａ（渋滞原因）を付して記録部２４ａ（不図示）に記録しておく。情報検索部３５ａ（不図示）は、他の無線端末２０ａ−１（２台以上でもよい）から検索用のメタ情報ＭＥＴＡａ（渋滞原因）を用いて行なわれた情報要求ＱＲＹａ−１に対し、記録部２４ａに記録された情報中から検索用のメタ情報ＭＥＴＡａ（渋滞原因）と一致するメタ情報が付された情報ＩＮＦＯａ（事故画像）を検索する。検索された情報ＩＮＦＯａ（事故画像）または検索用のメタ情報ＭＥＴＡａ（渋滞原因）を付された当該情報ＩＮＦＯａ（事故画像）を含む検索結果情報ＲＥＳａは、情報要求を行なった他の無線端末２０ａ−１側（２台以上でもよい）へ送信される。他の無線端末２０ａ−１の情報要求部４０ａ−１（不図示）は、受信した検索結果情報ＲＥＳａに検索された情報ＩＮＦＯａ（事故画像）が含まれる場合、検索結果情報ＲＥＳａを無線端末２０ａ−１の記録部２４ａ−１（不図示）に記録する。
【００５９】
車両９０−２の無線端末２０ａ−２から車両９０−１の無線端末２０ａ−１を介して車両９０の無線端末２０へ情報要求を行なう場合、まず無線端末２０ａ−２から無線端末２０ａ−１へ検索用のメタ情報ＭＥＴＡａ（渋滞原因）を用いた情報要求ＱＲＹａ−２が行なわれる。次に、無線端末２０ａ−１の情報検索部３５ａ−１（不図示）が記録部２４ａ−１に記録された情報中から検索用のメタ情報ＭＥＴＡａ（渋滞原因）と一致するメタ情報を付した情報を検索する。ここで、メタ情報ＭＥＴＡａ（渋滞原因）が検索されなかった場合、情報中継部３８ａ−１（不図示）は、情報要求部４０ａ−１（不図示）に、無線端末２０ａ−２と異なる無線端末２０側（２台以上でもよい）へ検索用のメタ情報ＭＥＴＡａ（渋滞原因）を用いた情報要求ＱＲＹａ−１を無線機２５ａ−１（不図示）等を介して送信させる。この後、無線端末２０側（２台以上でもよい）から無線端末２０ａ−１側へ検索結果情報ＲＥＳａが送信される。無線端末２０ａ−１は、受信した検索結果情報ＲＥＳａに検索された情報ＩＮＦＯａ（事故画像）が含まれている場合、検索結果情報ＲＥＳａをＲＥＳａ−１として無線端末２０ａ−２へ送信する。この結果、車両９０−２の無線端末２０ａ−２から別の車両９０−１の無線端末２０ａ−１を介して、情報の発生源５０ａ（事故車両）に近い無線端末２０ａへ情報要求を行ない、その返答を得ることができる。無線端末２０ａ−１が所定の時間経過後に無線端末２０ａ側から検索結果情報ＲＥＳａを受信しなかった場合は、検索用のメタ情報ＭＥＴＡａ（渋滞原因）を無線端末２０ａ−２側へ送信する。この結果、情報端末装置２０ａ−２側は、検索用のメタ情報ＭＥＴＡａ（渋滞原因）に対応する検索された情報ＩＮＦＯａ（自己画像）が少なくとも所定の検索時間の範囲内では存在していないという情報を得ることができる。
【００６０】
本実施例２においても実施例１と同様に、車両９０に設置された無線端末２０ａの情報検索部３５ａ（不図示）は、無線機２５等を通しパケット通信網６０およびインターネット７０等のネットワークを介して接続されたサーバ７４またはＰＣ８４等のコンピュータから検索用のメタ情報ＭＥＴＡａを用いて行なわれた情報要求に対し、記録部２４に記録された情報中から検索用のメタ情報ＭＥＴＡａと一致するメタ情報が付された情報ＩＮＦＯａを検索することができる。情報応答部３７ａ（不図示）は、情報検索部３６ａにより検索された情報ＩＮＦＯａを無線機２５等を介して情報要求を行なった側のサーバ７４またはＰＣ８４等のコンピュータへ送信する。この結果、車両９０に設置された無線端末２０ａの情報検索部３５ａは、パケット通信網６０およびインターネット７０等のネットワークを介して接続されたサーバ７４またはＰＣ８４等のコンピュータからの情報要求であっても、応答することができる。
【００６１】
以上より、本発明の実施例２によれば、事故車両５０ａから後方にある車両９０−１等の無線端末２０ａ−１が、事故車両５０ａの近傍に存在する車両９０の無線端末２０ａへ所望のメタ情報ＭＥＴＡａ（渋滞原因）を用いた情報要求ＱＲＹａ−１を行ない、これに対する返答ＲＥＳとして前方で発生した情報ＩＮＦＯａ（事故画像）または検索用のメタ情報ＭＥＴＡａ（渋滞原因）を付された当該情報ＩＮＦＯａ（事故画像）を含む検索結果情報ＲＥＳａを受信することができる。車両９０−１よりさらに後方にある車両９０−２の無線端末２０ａ−２は、車両９０−２の近傍に存在する車両９０−１の無線端末２０ａ−１の情報中継機能を利用することにより、まず事故車両５０ａの近傍に存在する車両９０の無線端末２０ａへ無線端末２０ａ−１を介して所望のメタ情報ＭＥＴＡａ（渋滞原因）を用いた情報要求ＱＲＹ−２を行なうことができる。これに対し、前方で発生した情報ＩＮＦＯａ（事故画像）または検索用のメタ情報ＭＥＴＡａ（渋滞原因）を付された当該情報ＩＮＦＯａ（事故画像）を含む検索結果情報ＲＥＳａ−１（＝ＲＥＳａ）を無線端末２０ａ−１を介して受信することができる。すなわち、情報の発生源（事故車両）５０ａから後方に存在する車両９０−１の無線端末２０ａ−１は、前方で発生した情報を得る場合、まず所定のメタ情報ＭＥＴＡａ（渋滞原因）をカテゴリとして、情報の発生源５０ａに近い車両９０の無線端末２０ａへ情報要求ＱＲＹ−１を行うことができる。その返答としてメタ情報ＭＥＴＡａ（渋滞原因）に対応する情報ＩＮＦＯａ（事故画像）または検索用のメタ情報ＭＥＴＡａ（渋滞原因）を付された当該情報ＩＮＦＯａ（事故画像）を含む検索結果情報ＲＥＳａを容易に得ることができる。このため、情報の発生源５０ａで収集された大量の情報ＩＮＦＯｋ（ｋ＝１，２，３，．．．）を受信してしまった後に、当該大量の情報ＩＮＦＯｋについての判断または解釈に著しい負荷がかかることがなく、多くの時間を要することもなくなる。
【実施例３】
【００６２】
図４は、本発明の実施例３における情報検索システム１３０を示す。図４で図１、図３と同じ符号を付した箇所は同じ要素を示すため、説明は省略する。図４において、符号９０−３、９０−４等は車両、Ｌ１、Ｌ２、Ｌｎは駐車場の駐車レーン、Ｌ１（ｈ）、Ｌ２（ｈ）、Ｌｎ（ｈ）（ｈ＝１，２，３，．．．，ｍ）は各々駐車レーンＬ１、Ｌ２、Ｌｎの各駐車位置、５０ｂは事故車両５０ａと同様に情報の発生源５０の一実施例である空車、５２ａ−１、５２ａ−２、５２ａ―ｎはビーコン５２ａと同様にメタ情報発行装置の一実施例である各々駐車レーンＬ１、Ｌ２、Ｌｎのビーコン、２０ａ−３、２０ａ―４は情報端末装置２０ａ−１等と同様に情報端末装置２０の一実施例である各々車両９０−３、９０−４に設置された無線端末である。図４に示されるように、実施例３において発生した情報ＩＮＦＯｂは空車５０ｂの空車位置（車両に関する情報）であり、ビーコン５２ａ−１等から送信されるメタ情報ＭＥＴＡｂは例えば「空車位置」である。このメタ情報ＭＥＴＡｂの内容「空車位置」は、空車５０ｂの位置から遠方に存在する車両９０の無線端末２０ａまたは車両９０−３の無線端末２０ａ−３等が、空車位置を検索する場合に用いることができるカテゴリの一つである。従って、同様なカテゴリを示すものであれば他のメタ情報の内容、例えば「駐車場状況」に設定することもできる。あるいは類似する複数のメタ情報の内容「空車位置」、「駐車場状況」等をグループ化しておき、メタ情報ＭＥＴＡｂとしてグループ内の任意の内容を用いるようにしてもよい。
【００６３】
図４に示されるように、駐車位置Ｌ１（ｍ−２）から出た車両９０−２の無線端末２０ａ−２の情報収集部３０ａ−２が撮像器２２ａ−２により取得された情報ＩＮＦＯｂ（空車位置画像）に、ビーコン５２ａ−１から送信されたメタ情報ＭＥＴＡｂ（空車位置）を付して記録部２４ａ−２に記録しておく。情報検索部３５ａ−２は、他の車両９０−３の無線端末２０ａ−３から検索用のメタ情報ＭＥＴＡｂ（空車位置）を用いて行なわれた情報要求ＱＲＹｂ−３に対し、記録部２４ａ−２に記録された情報中から検索用のメタ情報ＭＥＴＡｂ（空車位置）と一致するメタ情報が付された情報ＩＮＦＯｂ（空車位置画像）を検索する。情報ＩＮＦＯｂ（空車位置画像）が検索された場合、検索された情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−２を情報要求を行なった他の車両９０−３（２台以上でもよい）の無線端末２０ａ−３側へ送信する。無線端末２０ａ−３の情報要求部４０ａ−３（不図示）は、受信した検索結果情報ＲＥＳｂ−２に情報ＩＮＦＯｂ（空車位置画像）が含まれている場合、受信した検索結果情報ＲＥＳｂ−２を無線端末２０ａ−３の記録部２４ａ−３（不図示）に記録する。駐車位置Ｌｎ（３）から出た車両９０−４についても同様に、無線端末２０ａ−４が撮像器２２ａ−４（不図示）により取得された情報ＩＮＦＯｂ（空車位置画像）に、ビーコン５２ａ−ｎから送信されたメタ情報ＭＥＴＡｂ（空車位置）を付して記録部２４ａ−４（不図示）に記録しておく。他の車両９０の無線端末２０ａから検索用のメタ情報ＭＥＴＡｂ（空車位置）を用いて行なわれた情報要求ＱＲＹｂ−３に対し、記録部２４ａ−４に記録された情報中から検索用のメタ情報ＭＥＴＡｂ（空車位置）と一致するメタ情報が付された情報ＩＮＦＯｂ（空車位置画像）を検索する。情報ＩＮＦＯｂ（空車位置画像）が検索された場合、検索された情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−４を情報要求を行なった他の車両９０の無線端末２０ａ側（２台以上でもよい）へ送信する。無線端末２０ａの情報要求部４０ａは、受信した検索結果情報ＲＥＳｂ−４に情報ＩＮＦＯｂ（空車位置画像）が含まれている場合、受信した検索結果情報ＲＥＳｂ−４を無線端末２０ａの記録部２４ａ（不図示）に記録する。
【００６４】
中継機能についても基本的に実施例２と同様である。図４では示されていないが、車両９０−１が駐車位置Ｌ１（３）から出たものとし駐車位置Ｌ１（ｍ−２）には既に駐車されてしまった場合を想定する。すなわち、車両９０−２の記録部２４ａ−２にはメタ情報ＭＥＴＡｂ（空車位置）を付した情報ＩＮＦＯｂ（空車位置画像）は元々記録されなかったか、あるいは情報端末２０ａ−２が一度情報ＩＮＦＯｂ（空車位置画像）を記録した後、撮像器２２ａ−２が撮像した画像に基づき情報ＩＮＦＯｂ（空車位置画像）を削除したものとする。この場合、車両９０−３の無線端末２０ａ−３から車両９０−２の無線端末２０ａ−２を介して車両９０−１の無線端末２０−１へ、検索用のメタ情報ＭＥＴＡｂ（空車位置）を用いた情報要求ＱＲＹｂ−３を行なうことができる。無線端末２０ａ−２では検索用のメタ情報ＭＥＴＡｂ（空車位置）と一致するメタ情報を付した情報は検索されないため、情報中継部３８ａ−２が情報要求部４０ａ−２（不図示）に、無線端末２０ａ−１側（２台以上でもよい）へ検索用のメタ情報ＭＥＴＡｂ（空車位置）を用いた情報要求ＱＲＹｂ−２（不図示）を送信させる。無線端末２０ａ−１の記録部２４ａ−１には撮像器２２ａ−１により撮像されメタ情報ＭＥＴＡｂ（空車位置）を付された情報ＩＮＦＯｂ（空車位置画像）が記録されている。あとは実施例２と同様に、無線端末２０ａ−１から無線端末２０ａ−２を介して無線端末２０ａ−３へ情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−２を送信することができる。
【００６５】
以上より、本発明の実施例３によれば、空車位置５０ｂから遠方にある車両９０−３の無線端末２０ａ−１が、空車位置５０ｂの近傍に存在する車両９０−２の無線端末２０ａ−２へメタ情報ＭＥＴＡｂ（空車位置）を用いた情報要求ＱＲＹｂ−３を行ない、これに対する返答ＲＥＳ−２として前方で発生した情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−２を受信することができる。実施例２と同様に、車両９０−３の無線端末２０ａ−３は、車両９０−２の情報中継機能を利用することにより、空車位置（例えば駐車位置Ｌ１（３））の近傍に存在する車両９０−１の無線端末２０ａ−１へメタ情報ＭＥＴＡｂ（駐車位置）を用いた情報要求ＱＲＹ−３を行なうこともできる。これに対する返答ＲＥＳ−２（＝ＲＥＳ−１）として、前方で発生した情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−２を無線端末２０ａ−２を介して受信することができる。すなわち、情報の発生源（空車位置）５０ｂから後方に存在する車両９０−３の無線端末２０ａ−３は、前方で発生した情報を得る場合、まず所定のメタ情報ＭＥＴＡｂ（空車位置）をカテゴリとして、情報の発生源５０ｂに近い車両９０−２の無線端末２０ａ−２へ情報要求ＱＲＹｂ−３を行うことができる。その返答としてメタ情報ＭＥＴＡｂ（空車位置）に対応する情報ＩＮＦＯｂ（空車位置画像）または検索用のメタ情報ＭＥＴＡｂ（空車位置）を付された当該情報ＩＮＦＯｂ（空車位置画像）を含む検索結果情報ＲＥＳｂ−２を容易に得ることができる。このため、情報の発生源５０ｂで収集された大量の情報ＩＮＦＯｋ（ｋ＝１，２，３，．．．）を受信してしまった後に、当該大量の情報ＩＮＦＯｋについての判断または解釈に著しい負荷がかかることがなく、多くの時間を要することもなくなる。
【実施例４】
【００６６】
図５は、本発明の実施例４における情報検索システム１４０を示す。図５で図１と同じ符号を付した箇所は同じ要素を示すため、説明は省略する。図５において、符号５０ｃは情報の発生源５０の一実施例であるレストラン等の店舗、５２ｃはメタ情報発行装置５２の一実施例であり店舗５０ｃに設置されたビーコン、２２ｃは情報取得器２２の一実施例でありユーザ９２（後述）の位置を測定するＧＰＳ（Global Positioning System）受信ユニット等の位置情報取得器、２３は位置情報取得器２２ｃのアンテナ、２０ｃは情報端末装置２０の一実施例である携帯端末、９２は携帯端末２０ｃを装備したユーザ、９４は携帯端末２０ｃに接続されユーザ９２の頭部に装着されたヘッドマウント型ディスプレイである。携帯端末２０ｃは情報取得器２２として複数の取得器、すなわち撮像器２２ａと位置情報取得器２２ｃとを有することができる。符号９２−１、９２−２等は他のユーザ、２０ｃ−１、２０ｃ−２は各々他のユーザ９２−１、９２−２の携帯端末、２２ａ−１、２２ａ−２は各々携帯端末２０ｃ−１、２０ｃ−２の位置情報取得器、２２ａ−１、２２ａ−２は各々携帯端末２０ｃ−１、２０ｃ−２の撮像器である。図５に示されるように、実施例４において発生した情報（店舗に関する情報）は、店舗５０ｃの店舗画像（ＩＮＦＯｃ１）およびユーザ９２の位置情報（ＩＮＦＯｃ２）であり、ビーコン５２ｃから送信されるメタ情報ＭＥＴＡｃは例えば「店舗名」である。このメタ情報ＭＥＴＡｃの内容「店舗名」は、店舗５０ｃより遠方に存在するユーザ９２−１に装備された携帯端末２０ｃ−１またはユーザ９２−２の携帯端末２０ｃ−２等が、店舗を検索する場合に用いることができるカテゴリの一つである。従って、店舗のカテゴリを示すものであれば別のメタ情報の内容、例えば「（店舗で扱う）商品名」、「（店舗の）地域名」等に設定することもできる。上述の位置情報ＩＮＦＯｃ２は厳密にはユーザ９０の存在する位置情報であるが、ユーザ９２が装備した携帯端末２０ｃの撮像器２２ａで店舗５０ｃを撮像した場合、ユーザ９２の位置は店舗５０ｃの位置の近傍にあると考えられるため、位置情報ＩＮＦＯｃ２は店舗５０ｃの位置情報として近似的に扱うことができる。
【００６７】
図５に示されるように、携帯端末２０ｃの情報収集部３０ｃ（不図示）が撮像器２２ａにより取得された情報ＩＮＦＯｃ１（店舗画像）と位置情報取得器２２ｃにより取得された情報ＩＮＦＯｃ２（店舗位置情報）とに、ビーコン５２ｃから送信されたメタ情報ＭＥＴＡｃ（店舗名）を付して記録部２４ｃ（不図示）に記録しておく。情報検索部３５ｃ（不図示）は、他の携帯端末２０ｃ−１（２台以上でもよい）から検索用のメタ情報ＭＥＴＡｃ（店舗名）を用いて行なわれた情報要求ＱＲＹｃ−１に対し、記録部２４ｃに記録された情報中から検索用のメタ情報ＭＥＴＡｃ（店舗名）と一致するメタ情報が付された情報ＩＮＦＯｃ１（店舗画像）および情報ＩＮＦＯｃ２（店舗位置情報）を検索する。情報ＩＮＦＯｃ１（店舗画像）および情報ＩＮＦＯｃ２（店舗位置情報）が検索された場合、検索された情報ＩＮＦＯｃ１（店舗画像）および情報ＩＮＦＯｃ２（店舗位置情報）、または検索用のメタ情報ＭＥＴＡｃ（店舗名）を付された当該情報ＩＮＦＯｃ１（店舗画像）および情報ＩＮＦＯｃ２（店舗位置情報）を含む検索結果情報ＲＥＳｃを、情報要求を行なった他の携帯端末２０ｃ−１側（２台以上でもよい）へ送信する。他の携帯端末２０ｃ−１の情報要求部４０ｃ−１（不図示）は、受信した検索結果情報ＲＥＳｃに検索された情報ＩＮＦＯｃ１（店舗画像）および情報ＩＮＦＯｃ２（店舗位置情報）が含まれている場合、検索結果情報ＲＥＳｃを携帯端末２０ｃ−１の記録部２４ｃ−１（不図示）に記録する。
【００６８】
中継機能についても基本的に実施例２、３と同様である。ユーザ９２−２の携帯端末２０ｃ−２からユーザ９２−１の携帯端末２０ｃ−１を介してユーザ９２の携帯端末２０ｃへ情報要求を行なう場合、まず携帯端末２０ｃ−２から携帯端末２０ｃ−１（２台以上でもよい）へ検索用のメタ情報ＭＥＴＡｃ（店舗名）を用いた情報要求ＱＲＹｃ−２が行なわれる。次に、携帯端末２０ｃ−１の情報検索部３５ｃ−１（不図示）が記録部２４ｃ−１に記録された情報中から検索用のメタ情報ＭＥＴＡｃ（店舗名）と一致するメタ情報を付した情報を検索する。ここで、メタ情報ＭＥＴＡｃ（店舗名）が検索されなかった場合、情報中継部３８ｃ−１（不図示）は、情報要求部４０ｃ−１（不図示）に、携帯端末２０ｃ−２と異なる携帯端末２０ｃ側（２台以上でもよい）へ検索用のメタ情報ＭＥＴＡｃ（店舗名）を用いた情報要求ＱＲＹｃ−１を送信させる。この後、携帯端末２０ｃ側から受信した検索結果情報ＲＥＳｃに情報ＩＮＦＯｃ１（店舗画像）および情報ＩＮＦＯｃ２（店舗位置情報））が含まれている場合、検索結果情報ＲＥＳｃを携帯端末２０ｃ−２（２台以上でもよい）へＲＥＳｃ−１（＝ＲＥＳｃ）として送信する。この結果、ユーザ９２−２の携帯端末２０ｃ−２から別のユーザ９２−１の携帯端末２０ｃ−１を介して、情報の発生源５０ｃ（店舗）に近い携帯端末２０ｃへ情報要求を行ない、その返答を得ることができる。
【００６９】
携帯端末２０ｃ等のメタ情報入力部３２ｃ（不図示）は、撮像器２２ａが店舗５０ｃを撮像可能な方向へ向けられている場合に、ビーコン５２ｃから送信されたメタ情報ＭＥＴＡｃを無線機２５等を介して受信することができる。図６は、本発明の実施例４における携帯端末と店舗との間の位置関係を示す。図６で図５と同じ符号を付した箇所は同じ要素を示すため説明は省略する。図６のＰ０に示されるように、携帯端末２０ｃの撮像器２２ａが店舗５０ｃを撮像可能な方向へ向けられている場合、メタ情報入力部３２ｃはビーコン５２ｃから送信されたメタ情報ＭＥＴＡｃを無線機２５等を介して受信することができる。一方、図６のＰ１に示されるように、携帯端末２０ｃを回転等させた結果として撮像器２２ａが店舗５０ｃを撮像可能でない方向へ向けられた場合、メタ情報入力部３２ｃはビーコン５２ｃから送信されたメタ情報ＭＥＴＡｃを無線機２５等を介して受信しないようにすることができる。店舗５０ｃから指向性の高い電波が送られることにより、店舗５０ｃの方向を向いている撮像器２２ａのみに限定してメタ情報ＭＥＴＡｃ（店舗）を送ることが可能である。
【００７０】
図７は、本発明の実施例４における携帯端末と店舗との間の別の位置関係を示す。図７で図６と同じ符号を付した箇所は同じ要素を示すため説明は省略する。図７に示されるように、複数の店舗５０ｃ、５０ｃ−１等が存在する場合、メタ情報入力部３２ｃは、撮像器２２ａが撮像可能な方向へ向けられている店舗に設置されたビーコン５２ｃまたは５２ｃ−１から送信されたメタ情報ＭＥＴＡｃを無線機２５等を介して受信することができる。例えば、図７のＰ０に示される携帯端末２０ｃの撮像器２２ａがＲ０に示される店舗５０ｃの方向へ向けられている場合、メタ情報入力部３２ｃは店舗５０ｃに設置されたビーコン５２ｃから送信されたメタ情報ＭＥＴＡｃを無線機２５等を介して受信することができる。店舗５０ｃ−１に設置されたビーコン５２ｃ−１から送信されたメタ情報ＭＥＴＡｃは受信しないようにすることができる。
【００７１】
本実施例４においても実施例１と同様に、ユーザ９２に装備された携帯端末２０ｃの情報検索部３５ｃは、無線機２５等を通しパケット通信網６０およびインターネット７０等のネットワークを介して接続されたサーバ７４またはＰＣ８４等のコンピュータから検索用のメタ情報ＭＥＴＡｃを用いて行なわれた情報要求に対し、記録部２４ｃに記録された情報中から検索用のメタ情報ＭＥＴＡｃと一致するメタ情報が付された情報ＩＮＦＯｃ１およびＩＮＦＯｃ２を検索することができる。情報応答部３７ｃは、情報検索部３６ｃにより検索された情報ＩＮＦＯｃ１およびＩＮＦＯｃ２を無線機２５等を介して情報要求を行なった側のサーバ７４またはＰＣ８４等のコンピュータへ送信する。この結果、ユーザ９２に装備された携帯端末２０ｃの情報検索部３５ａは、パケット通信網６０およびインターネット７０等のネットワークを介して接続されたサーバ７４またはＰＣ８４等のコンピュータからの情報要求であっても、応答することができる。
【００７２】
以上より、本発明の実施例４によれば、店舗５０ｃから遠方にいるユーザ９２−１等の携帯端末２０ｃ−１が、店舗５０ｃの近傍に存在するユーザ９２の携帯端末２０ｃへ所望のメタ情報ＭＥＴＡｃ（店舗名）を用いた情報要求ＱＲＹｃ−１を行ない、これに対する返答として情報ＩＮＦＯｃ１（店舗画像）および情報ＩＮＦＯｃ２（店舗位置情報）または検索用のメタ情報ＭＥＴＡｃ（店舗名）を付された当該情報ＩＮＦＯｃ１（店舗画像）および情報ＩＮＦＯｃ２（店舗位置情報）を含む検索結果情報ＲＥＳｃを受信することができる。ユーザ９２−１よりさらに遠方にいるユーザ９２−２の携帯端末２０ｃ−２は、ユーザ９２−２の近傍に存在するユーザ９２−１の携帯端末２０ｃ−１の情報中継機能を利用することにより、まず店舗５０ｃの近傍に存在するユーザ９２の携帯端末２０ｃへ携帯端末２０ｃ−１を介して所望のメタ情報ＭＥＴＡｃ（店舗名）を用いた情報要求ＱＲＹ−２を行なうことができる。これに対する返答として、情報ＩＮＦＯｃ１（店舗画像）および情報ＩＮＦＯｃ２（店舗位置情報）または検索用のメタ情報ＭＥＴＡｃ（店舗名）を付された当該情報ＩＮＦＯｃ１（店舗画像）および情報ＩＮＦＯｃ２（店舗位置情報）を含む検索結果情報ＲＥＳｃを携帯端末２０ｃ−１を介して受信することができる。すなわち、情報の発生源（店舗）５０ｃから遠方に存在するユーザ９２−１の携帯端末２０ｃ−１は、遠方で発生した情報を得る場合、まず所定のメタ情報ＭＥＴＡｃ（店舗名）をカテゴリとして、情報の発生源５０ｃに近いユーザ９２の携帯端末２０ｃへ情報要求ＱＲＹ−１を行うことができる。その返答としてメタ情報ＭＥＴＡｃ（店舗名）に対応する情報ＩＮＦＯｃ１（店舗画像）および情報ＩＮＦＯｃ２（店舗位置情報）または検索用のメタ情報ＭＥＴＡｃ（店舗名）を付された当該情報ＩＮＦＯｃ１（店舗画像）および情報ＩＮＦＯｃ２（店舗位置情報）を含む検索結果情報ＲＥＳｃを容易に得ることができる。このため、情報の発生源５０ｃで収集された大量の情報ＩＮＦＯｋ（ｋ＝１，２，３，．．．）を受信してしまった後に、当該大量の情報ＩＮＦＯｋについての判断または解釈に著しい負荷がかかることがなく、多くの時間を要することもなくなる。
【実施例５】
【００７３】
図８は、本発明の実施例５における情報検索システム１５０を示す。図８で図１、図３と同じ符号を付した箇所は同じ要素を示すため、説明は省略する。図８において、符号８０は住宅等を示し、５０ｄは情報の発生源５０の一実施例である風景、５２ｄはメタ情報発行装置５２の一実施例であり住宅等８０内に設置された時計機能付きビーコン、２０ｄは情報端末装置２０の一実施例であり風景５０ｄを撮像可能な場所、例えば住宅等８０の窓付近に設置された情報端末である。図８に示されるように、実施例５において発生した情報（風景に関する情報）は、風景５０ｄの風景画像（ＩＮＦＯｄ）であり、ビーコン５２ｄから送信されるメタ情報ＭＥＴＡｄは例えば「時刻ｔの風景」である。つまり、時計機能付きビーコン５２ｄは撮像器２２ａが風景５０ｄを撮像した時の時刻（撮像時刻）を含むメタ情報ＭＥＴＡｄを送信する。このメタ情報ＭＥＴＡｄの内容「時刻ｔの風景」は、住宅等８０より遠方に存在するコンピュータが所望の時刻ｔの風景を検索する場合に用いることができるカテゴリの一つである。上述の他の実施例と同様に、時刻を示す他の内容として、「朝方の風景」、「夕方の風景」等に設定することもできる。
【００７４】
図８に示されるように、情報端末２０ｄの情報収集部３０ｄ（不図示）が撮像器２２ａにより取得された情報ＩＮＦＯｄ（風景画像）に、ビーコン５２ｄから送信されたメタ情報ＭＥＴＡｄ（時刻ｔの風景）を付して記録部２４ｄに記録しておく。情報端末２０ｄの情報検索部３５ｄ（不図示）は、無線機２５等を通しパケット通信網６０およびインターネット７０等のネットワークを介して接続されたサーバ７４またはＰＣ８４等のコンピュータから検索用のメタ情報ＭＥＴＡｄを用いて行なわれた情報要求に対し、記録部２４ｄに記録された情報中から検索用のメタ情報ＭＥＴＡｄと一致するメタ情報が付された情報ＩＮＦＯｄを検索することができる。情報応答部３７ｄ（不図示）は、情報検索部３６ｄにより情報ＩＮＦＯｄが検索された場合、検索された情報ＩＮＦＯｄ（風景画像）または検索用のメタ情報ＭＥＴＡｄ（時刻ｔの風景）を付された当該情報ＩＮＦＯｄ（風景画像）を含む検索結果情報ＲＥＳｄを無線機２５等を介して情報要求を行なった側のサーバ７４またはＰＣ８４等のコンピュータへ送信する。この結果、住宅等８０内に設置された情報端末２０ｄの情報検索部３５ｄは、パケット通信網６０およびインターネット７０等のネットワークを介して接続されたサーバ７４またはＰＣ８４等のコンピュータからの情報要求に対して応答することができる。
【００７５】
以上より、本発明の実施例５によれば、住宅等８０から遠方にありパケット通信網６０およびインターネット７０等のネットワークを介して接続されたサーバ７４またはＰＣ８４等のコンピュータは、住宅等８０の情報端末２０ｄへ所望のメタ情報ＭＥＴＡｄ（時刻ｔの風景）を用いた情報要求を行なうことにより、これに対する返答として情報ＩＮＦＯｄ（風景画像）または検索用のメタ情報ＭＥＴＡｄ（時刻ｔの風景）を付された当該情報ＩＮＦＯｄ（風景画像）を含む検索結果情報ＲＥＳｄを受信することができる。すなわち、情報の発生源（風景）５０ｄから遠方に存在するサーバ７４等は、遠方で発生した情報を得る場合、まず所定のメタ情報ＭＥＴＡｄ（時刻ｔの風景）をカテゴリとして、情報の発生源５０ｄに近い住宅等８０の情報端末２０ｄへ情報要求を行うことができる。その返答としてメタ情報ＭＥＴＡｄ（時刻ｔの風景）に対応する情報ＩＮＦＯｄ（風景画像）または検索用のメタ情報ＭＥＴＡｄ（時刻ｔの風景）を付された当該情報ＩＮＦＯｄ（風景画像）を含む検索結果情報ＲＥＳｄを容易に得ることができる。このため、情報の発生源５０ｄで収集された大量の情報ＩＮＦＯｋ（ｋ＝１，２，３，．．．）を受信してしまった後に、当該大量の情報ＩＮＦＯｋについての判断または解釈に著しい負荷がかかることがなく、多くの時間を要することもなくなる。
【実施例６】
【００７６】
図９は、上述した各実施例を実現するための本発明のコンピュータ・プログラムを実行する情報端末装置２０等のコンピュータの内部回路１６０を示すブロック図である。図９に示されるように、ＣＰＵ１６１、ＲＯＭ１６２、ＲＡＭ１６３、画像制御部１６６、コントローラ１６７、入力制御部１７０および入出力制御部１７１はバス１７２に接続されている。図９において、上述の本発明のコンピュータ・プログラムは、ＲＯＭ１６２、ディスク１６８ａまたはＣＤ−ＲＯＭ１６８ｎ等の記録媒体（脱着可能な記録媒体を含む）に記録されている。本発明のコンピュータ・プログラムは、ＲＯＭ１６２からバス１７２を介し、またはディスク１６８ａ若しくはＣＤ−ＲＯＭ１６８ｎ等の記録媒体からコントローラ１６７を経由してバス１７２を介しＲＡＭ１６３へロードされる。入力制御部１７０は情報取得器２２と接続され入力制御等を行う。入力制御部１７０は情報端末装置２０等に入力を行うためのマウス、テンキー等の入力装置（不図示）と接続され入力制御を行なうこともできる。画像メモリであるＶＲＡＭ１６５は情報端末装置２０等の表示部（例えばヘッドマウントディスプレイ９４）の少なくとも一画面分のデータ容量に相当する容量を有しており、画像制御部１６６はＶＲＡＭ１６５のデータを画像データへ変換して表示部へ送出する機能を有している。入出力制御部１７１は、アンテナ２６ａを有する無線機２５ａ、．．．、アンテナ２６ｎを有する無線機２５ｎと接続され、メタ情報発行装置５２、情報端末装置２０−１等、ネットワーク６０等と接続する際の入出力インタフェース機能を有する。
【００７７】
上述のようにＣＰＵ１６１が上述の本発明のコンピュータ・プログラムを実行することにより、本発明の目的を達成することができる。当該コンピュータ・プログラムは上述のようにＣＤ−ＲＯＭ１６８ｎ等の記録媒体の形態でコンピュータＣＰＵ１６１に供給することができ、当該コンピュータ・プログラムを記録したＣＤ−ＲＯＭ１６８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００７８】
本発明の活用例として、事故車両により引き起こされた車両の渋滞列において、事故車両より後方に離れた車両が、大量の情報を処理することなく渋滞原因を迅速に得る場合に適用できる。または駐車場において、空車位置より遠方に離れた車両が、大量の情報を処理することなく空車位置を迅速に得る場合にも適用できる。あるいは街中において、所望の店舗より遠方に離れ携帯端末を装備したユーザが、大量の情報を処理することなく所望の店舗に関する情報を迅速に端末に取寄せる場合にも適用できる。
【図面の簡単な説明】
【００７９】
【図１】本発明の実施例１における情報検索システム１００を示す図である。
【図２（Ａ）】本発明の情報検索方法およびプログラムの動作を示すフローチャートである。
【図２（Ｂ）】本発明の情報検索方法およびプログラムの動作を示すフローチャートである。
【図２（Ｃ）】本発明の情報検索方法およびプログラムの動作を示すフローチャートである。
【図３】本発明の実施例２における情報検索システム１２０を示す図である。
【図４】本発明の実施例３における情報検索システム１３０を示す図である。
【図５】本発明の実施例４における情報検索システム１４０を示す図である。
【図６】本発明の実施例４における携帯端末と店舗との間の位置関係を示す図である。
【図７】本発明の実施例４における携帯端末と店舗との間の別の位置関係を示す図である。
【図８】本発明の実施例５における情報検索システム１５０を示す図である。
【図９】本発明のコンピュータ・プログラムを実行する情報端末装置２０等のコンピュータの内部回路１６０を示すブロック図である。
【図１０】住宅等の内部に設置されたセンサを外部から遠隔操作する従来の技術を示す図である。
【符号の説明】
【００８０】
２０，２０−１，２０−２，２０ｄ  情報端末装置、  ２０ａ，２０ａ−１，２０ａ−２，２０ａ−３，２０ａ−４  無線端末、  ２０ｃ  携帯端末、  ２２  情報取得器、  ２２ａ，２２ａ−１，２２ａ−２  撮像器、  ２２ｃ，２２ｃ−１，２２ｃ−２  位置情報取得器、  ２４，２４−１，２４ａ，２４ａ−１，２ｄ  記録部、  ２５，２５−１，２５−２，２５ａ−１，２５ａ，２５ｎ  無線機、  ２６，２６ａ，２６ｎ  アンテナ、  ３０，３０ａ  情報収集部、  ３２  メタ情報入力部、  ３４  情報記録部、  ３５，３５−１，３５ａ，３５ａ−１  情報検索部、  ３６，３６−１  検索部、  ３７  情報応答部、  ３８，３８−１，３８ａ−１  情報中継部、  ３９  中継終了部、  ４０，４０−１，４０−２，４０ａ−１  情報要求部、  ４２，４２−１  情報要求発行部、  ４４，４４−１  情報入力部、  ４６，４６−１  入力情報記録部、  ５０  情報の発生源、  ５０ａ  事故車両、  ５０ｂ  空車、  ５０ｃ，５０ｃ−１  店舗、  ５０ｄ  風景、  ５２  メタ情報発行装置、  ５２ａ，５２ａ−１，５２ａ−２，５２ａ−３，５２ａ−ｎ，５２ｃ，５２ｃ−１  ビーコン、  ５２ｄ  時計付ビーコン、  ６０  パケット通信網、  ６２  基地局、  ６４  通信センタ、  ６６，７２，８２  ルータ、  ７０  インターネット、  ７４  サーバ、  ７５，８５  ＬＡＮ、  ７６  端末、  ７７，８０  住宅等、  ７８  センサ、  ７９  家電製品、  ８４  ＰＣ、  ９０，９０−１，９０−２，９０−３，９０−４  車両、  ９２，９２−１，９２−２  ユーザ、  ９４  ヘッドマウントディスプレイ、  １００，１２０，１３０，１４０，１５０  情報検索システム、  １６０  内部回路、  １６１  ＣＰＵ、  １６２  ＲＯＭ、  １６３  ＲＡＭ、  １６４  表示部、  １６５  ＶＲＡＭ、  １６６  画像制御部、  １６７  コントローラ、  １６８ａ  ディスク、  １６８ｎ  ＣＤ−ＲＯＭ、  １７０  入力制御部、  １７１  入出力制御部、  １７２  バス。
【図１】
2005115567.tif 000003
【図２（Ａ）】
2005115567.tif 000004
【図２（Ｂ）】
2005115567.tif 000005
【図２（Ｃ）】
2005115567.tif 000006
【図３】
2005115567.tif 000007
【図４】
2005115567.tif 000008
【図５】
2005115567.tif 000009
【図６】
2005115567.tif 000010
【図７】
2005115567.tif 000011
【図８】
2005115567.tif 000012
【図９】
2005115567.tif 000013
【図１０】
2005115567.tif 000014